(57)【要約】【課題】耳石温度標識の付与，成長抑制，成長促進のための稚魚生産水の温度制御において、健全な稚魚を生産することができ、装置の所要能力を低くしてエネルギー消費の少ない制御を行うことができる。【解決手段】原水の供給される供給流路１０を２つに分岐し、その一つの供給流路１０Ａをヒートポンプ２０の蒸発器２１側に連通する共に、他の供給流路１０Ｂをヒートポンプ２０の凝縮器２２側に連通し、ヒートポンプ２０の熱交換作用によって、蒸発器２１側を通過した調温水を原水の温度より設定温度差Δｔ１だけ冷却し、凝縮器２２側を通過した調温水を原水の温度より設定温度差Δｔ２だけ加熱し、設定温度差Δｔ１とΔｔ２の絶対値の和によって耳石温度標識に必要な温度差を得て、蒸発器２１側を通過した調温水と凝縮器２２側を通過した調温水とを設定時間隔毎に切り替えて出力する。【選択図】図１
2010207121.tif 000002
【特許請求の範囲】
【請求項１】
稚魚を生産する生産水の温度を制御する方法であって、
原水の供給される供給流路を２つに分岐して、その一つの供給流路を流れる原水を原水の温度より設定温度差Δｔ１だけ冷却し、他の供給流路を流れる原水を原水の温度より設定温度差Δｔ２だけ加熱し、
前記設定温度Δｔ１だけ冷却された調温水と前記設定温度Δｔ２だけ加熱された調温水を出力することにより、前記設定温度差Δｔ１と前記設定温度差Δｔ２の絶対値の和によって所要温度差を得ることを特徴とする稚魚生産水の温度制御方法。
【請求項２】
稚魚を生産する生産水の温度を制御する方法であって、
原水の供給される供給流路を２つに分岐し、その一つの供給流路をヒートポンプの蒸発器側に連通する共に、他の供給流路を前記ヒートポンプの凝縮器側に連通し、
前記ヒートポンプの熱交換作用によって、前記蒸発器側を通過した調温水を前記原水の温度より設定温度差Δｔ１だけ冷却し、前記凝縮器側を通過した調温水を前記原水の温度より設定温度差Δｔ２だけ加熱し、前記設定温度差Δｔ１と前記設定温度差Δｔ２の絶対値の和によって耳石温度標識に必要な温度差を得て、前記蒸発器側を通過した調温水と前記凝縮器側を通過した調温水とを設定時間毎に切り替えて出力することを特徴とする稚魚生産水の温度制御方法。
【請求項３】
前記設定温度差Δｔ１と前記設定温度差Δｔ２を共に２℃として、前記耳石温度標識に必要な温度差４℃を得ること特徴とする請求項２記載の稚魚生産水の温度制御方法。
【請求項４】
稚魚を生産する生産水の温度を制御する装置であって、
供給された原水を２つの流路に分岐する供給流路と、
分岐された１つの流路を流れる原水を冷却する冷却手段と、
分岐された他の流路を流れる原水を加熱する加熱手段と、
前記冷却手段によって冷却された調温水と前記加熱手段によって加熱された調温水を出力する出力流路とを備えることを特徴とする稚魚生産水の温度制御装置。
【請求項５】
前記出力流路は、前記冷却手段によって冷却された調温水と前記加熱手段によって加熱された調温水を切り替えて出力する切り替え手段を備えることを特徴とする請求項４に記載された稚魚生産水の温度制御装置。
【請求項６】
前記出力流路は、前記冷却手段によって冷却された調温水と前記加熱手段によって加熱された調温水を別の槽に出力することを特徴とする請求項４に記載された稚魚生産水の温度制御装置。
【請求項７】
稚魚を生産する生産水の温度を制御する装置であって、
原水が供給される供給流路と、
供給された原水に温度変化を付与するヒートポンプと、
該ヒートポンプからの調温水を出力する出力流路を備え、
前記供給流路を２つに分岐し、その一つの供給流路を前記ヒートポンプの蒸発器側に連通する共に、他の供給流路を前記ヒートポンプの凝縮器側に連通し、
前記ヒートポンプの熱交換作用によって、前記蒸発器側を通過した調温水を前記原水の温度より設定温度差Δｔ１だけ冷却し、前記凝縮器側を通過した調温水を前記原水の温度より設定温度差Δｔ２だけ加熱し、前記設定温度差Δｔ１と前記設定温度差Δｔ２の絶対値の和によって耳石温度標識に必要な温度差を得て、
前記出力流路は、前記蒸発器側を通過した調温水と前記凝縮器側を通過した調温水とを設定時間毎に切り替えて出力する切り替え手段を備えることを特徴とする稚魚生産水の温度制御装置。
【発明の詳細な説明】
【技術分野】
【０００１】
本発明は、さけ・ます等の放流魚の稚魚を生産する稚魚生産水の温度制御方法及び温度制御装置に関するものである。
【背景技術】
【０００２】
稚魚生産水の温度制御に関しては、本出願人は下記特許文献１に示す技術を提案している。この提案は、河川や海などの給水源から採取した原水を魚類のふ化飼養池へ供給するに際して、この原水をふ化飼養池へ供給する前に水温調整手段で冷却又は加熱して、原水の温度変化に対して一定の温度差が生じるように温度変化する温調水を作成し、これら原水と温調水を、予め設定された水温変化パターンで一定時間毎に交互に魚類の孵化飼養池へ供給して、魚類の耳石にバーコード状模様の標識を形成するものである。
【先行技術文献】
【特許文献】
【０００３】
【特許文献１】特許第３５４２３３７号公報
【発明の概要】
【発明が解決しようとする課題】
【０００４】
耳石温度標識の付与には、４℃程度の温度差が必要であるとされており、この温度差で生産水を周期的に温度変化させることで、耳石にバーコード状模様の標識を形成することが可能になる。この耳石温度標識は、放流箇所にどの程度回帰するかを示す回帰率の調査等に活用されている。
【０００５】
そして、従来技術では、成長抑制を行う場合には、原水の水温からマイナス側に４℃の温度変化を生じさせ、成長促進を行う場合は、原水の水温からプラス側に４℃の温度変化を生じさせていた。これによると原水からの温度変化が大きくならざるを得ないので、成長抑制又は成長促進の効果は高いが、温度変化が大きいことによって各種の弊害が生じる懸念があった。
【０００６】
例えば、成長抑制を行う場合には、受精後の卵を一気に低温水帯に入れる為、成長曲線にゆがみが発生し、稚魚が健全に成長しないという懸念があり、成長促進を行う場合には、卵期を過ぎて、養魚期に入った時に、一気に高温帯に入れる為、急速に成長が進み、さいのう（栄養の素）の吸収が早まり、それぞれの内臓器官の成長バランスが悪くなることの懸念があった。
【０００７】
また、装置本体としては、原水を４℃程度上下変動させるので、その温度の上げ下げに大きな電力が必要になる。例えば、毎分５０リットルの原水を４℃下げるためには、６０分間で１２０００カロリーが必要になり、ヒートポンプの駆動源には約４Ｋｗの能力が必要になる。稚魚生産時には大量の生産水が必要になるので、省エネルギーの観点からも改善の必要性があった。
【０００８】
更に、原水に対して、＋４℃又は−４℃の温度差を付けていたので、温度制御装置が何らかのトラブルで停止した場合には、制御時の温度から制御前の温度に戻ると＋４℃又は−４℃の温度差が稚魚に与えられることになる。このようなトラブルが生じると稚魚は急激な温度ショックを受けることになり、稚魚の健康が損なわれる問題が生じる。
【０００９】
本発明は、このような問題に対処することを課題の一例とするものである。すなわち、耳石温度標識を付与するための稚魚生産水の温度制御において、健全な稚魚を生産することができ、装置の所要能力を低くしてエネルギー消費の少ない制御を行うことができること、温度制御装置にトラブルが生じた場合にも稚魚に急激な温度ショックを与えないようにすること、等が本発明の目的である。
【課題を解決するための手段】
【００１０】
このような目的を達成するために、本発明は、一つには、稚魚を生産する生産水の温度を制御する方法であって、原水の供給される供給流路を２つに分岐して、その一つの供給流路を流れる原水を原水の温度より設定温度差Δｔ１だけ冷却し、他の供給流路を流れる原水を原水の温度より設定温度差Δｔ２だけ加熱し、前記設定温度Δｔ１だけ冷却された調温水と前記設定温度Δｔ２だけ加熱された調温水を出力することにより、前記設定温度差Δｔ１と前記設定温度差Δｔ２の絶対値の和によって所要温度差を得ることを特徴とする。ここでのΔｔ１，Δｔ２は任意の温度差であり、Δｔ１＝Δｔ２であっても、Δｔ１≠Δｔ２であってもよい。
【００１１】
より具体的には、稚魚を生産する生産水の温度を制御する方法であって、原水の供給される供給流路を２つに分岐し、その一つの供給流路をヒートポンプの蒸発器側に連通する共に、他の供給流路を前記ヒートポンプの凝縮器側に連通し、前記ヒートポンプの熱交換作用によって、前記蒸発器側を通過した調温水を前記原水の温度より設定温度差Δｔ１だけ冷却し、前記凝縮器側を通過した調温水を前記原水の温度より設定温度差Δｔ２だけ加熱し、前記設定温度差Δｔ１と前記設定温度差Δｔ２の絶対値の和によって耳石温度標識に必要な温度差を得て、前記蒸発器側を通過した調温水と前記凝縮器側を通過した調温水とを設定時間毎に切り替えて出力することを特徴とする。
【００１２】
また一つには、稚魚を生産する生産水の温度を制御する装置であって、供給された原水を２つの流路に分岐する供給流路と、分岐された１つの流路を流れる原水を冷却する冷却手段と、分岐された他の流路を流れる原水を加熱する加熱手段と、前記冷却手段によって冷却された調温水と前記加熱手段によって加熱された調温水を出力する出力流路とを備えることを特徴とする。
【００１３】
より具体的には、稚魚を生産する生産水の温度を制御する装置であって、原水が供給される供給流路と、供給された原水に温度変化を付与するヒートポンプと、該ヒートポンプからの調温水を出力する出力流路を備え、前記供給流路を２つに分岐し、その一つの供給流路を前記ヒートポンプの蒸発器側に連通する共に、他の供給流路を前記ヒートポンプの凝縮器側に連通し、前記ヒートポンプの熱交換作用によって、前記蒸発器側を通過した調温水を前記原水の温度より設定温度差Δｔ１だけ冷却し、前記凝縮器側を通過した調温水を前記原水の温度より設定温度差Δｔ２だけ加熱し、前記設定温度差Δｔ１と前記設定温度差Δｔ２の絶対値の和によって耳石温度標識に必要な温度差を得て、前記出力流路は、前記蒸発器側を通過した調温水と前記凝縮器側を通過した調温水とを設定時間毎に切り替えて出力する流路切り替え手段を備えることを特徴とする。
【発明の効果】
【００１４】
このような特徴によると、耳石温度標識を付与する際に、作業の始まりと終わりの段階で原水との温度差を小さくすることができる。これによって、魚が受ける温度差のショックを抑えることができ、健全な稚魚生産を行いながら耳石温度標識の付与を行うことができる。
【００１５】
また、耳石温度標識付与を行っている段階の平均温度を原水の温度に近づけることができるので、自然環境に沿った飼育環境下で耳石温度標識の付与を行うことができ、稚魚生産をより天然の生育に近づけることができる。
【００１６】
温度制御装置に何らかのトラブルが生じて制御が停止した場合にも、実際に原水に加えている温度差は所要温度差の半分程度であるから、このようなトラブル時にも稚魚に急激な温度ショックを与えなくて済む利点が得られる。
【００１７】
稚魚の成長状態の確認を行う際に、温度積算方式を採用することができるが、温度変化を付けても積算温度は原水温度の積算と変わりがないので、温度制御を考慮すること無く温度積算を行うことができる。
【００１８】
１台のヒートポンプで、原水から２種類の調温水を生成し、必要な温度幅を有する調温水を同時に生成することができる。これによって、原水からの温度変化は、原水からプラス側又はマイナス側の片側に所望の温度差を付ける場合と比較して低く抑えることができ、所要電量を低減すると共に、能力の低いヒートポンプで対応することが可能になる。これによると消費電力を大幅に削減することができると共に、管理レベルの低い低能力のヒートポンプにより手軽に調整管理することができる。
【００１９】
また、原水を冷却した調温水と加熱した調温水を同時に生成できるので、これらの調温水を別に使うか切り替えて使うかによって、少ない電力で、成長促進，成長抑制，耳石温度標識付与の作業を同時に行うことが可能になる。
【図面の簡単な説明】
【００２０】
【図１】本発明の実施形態に係る稚魚生産水の温度制御装置及び温度制御方法を説明する説明図である。
【図２】本発明の実施形態に係る稚魚生産水の温度制御装置及び温度制御方法による稚魚生産水の制御例を示した説明図である。
【図３】本発明に係る稚魚生産水の温度制御装置及び温度制御方法の他の実施形態を示す説明図である。
【発明を実施するための形態】
【００２１】
以下、図面を参照しながら本発明の実施形態を説明する。図１は、本発明の実施形態に係る稚魚生産水の温度制御装置及び温度制御方法を説明する説明図である。ここで言う原水とは、自然環境下にある河川や海又は井戸等の給水源から採取されるものである。したがって、原水は一定の温度ではなく、気温や日中の時間、或いは季節によって随時温度が変化するものである。本発明の実施形態に係る稚魚生産水の温度制御装置は、供給された原水を２つの流路に分岐する供給流路１０と、分岐された１つの流路を流れる原水を冷却する冷却手段２１と、分岐された他の流路を流れる原水を加熱する加熱手段２２と、冷却手段２１によって冷却された調温水と加熱手段２２によって加熱された調温水とを出力する出力流路３０とを備えている。
【００２２】
より具体的には、原水が供給される供給流路１０と、前述した冷却手段２１と加熱手段とを備え、供給された原水に温度変化を付与するヒートポンプ２０と、ヒートポンプ２０からの調温水を出力する出力流路３０とを備えている。
【００２３】
供給流路１０は、２つの供給流路１０Ａ，１０Ｂに分岐している。そしてその各供給流路１０Ａ，１０Ｂにそれぞれ原水供給用のポンプ１１，１２が設けられている。供給流路１０に流入した原水は、２つの供給流路１０Ａ，１０Ｂに分流して、一方が冷却手段２１に、他方が加熱手段２２に供給される。
【００２４】
ヒートポンプ２０は、冷却手段（蒸発器）２１，加熱手段（凝縮器）２２，圧縮・膨張手段２３を備えており、その熱交換作用によって、冷却手段（蒸発器）２１側に供給される原水から熱を奪って加熱手段（凝縮器）２２側に供給される原水を加熱するものである。このヒートポンプ２０は、冷却手段（蒸発器）２１側を通過して冷却される調温水を原水の温度ｔ0より設定温度差Δｔ１だけ冷却し、加熱手段（凝縮器）２２側を通過した調温水を原水の温度ｔ0より設定温度差Δｔ２だけ加熱し、設定温度差Δｔ１と設定温度差Δｔ２の絶対値の和によって例えば耳石温度標識に必要な温度差（所要温度差）を得るように制御が行われる。より具体的には、Δｔ１＝Δｔ２＝２℃に設定し、Δｔ１＋Δｔ２＝４℃によるようにして、耳石温度標識の付与に必要となる温度差を得るようにしている。
【００２５】
ヒートポンプ２０によって温度変化が付加された調温水は、出力流路３０を通って稚魚生産槽４０に送水される。出力流路３０は、冷却手段（蒸発器）２１側を通過して冷却された調温水を出力する出力流路３０Ａと加熱手段（凝縮器）２２側を通過して加熱された調温水を出力する出力流路３０Ｂを備えており、この出力流路３０Ａ，３０Ｂが切り替えバルブ（流路切り替え手段）３１を介して一つの出力流路３０Ｃに接続されている。切り替えバルブ３１は出力流路３０Ａのみを出力流路３０Ｃに接続する状態と出力流路３０Ｂのみを出力流路３０Ｃに接続する状態とを選択的に切り替えることができるものである。
【００２６】
これによると、図２に示すような稚魚生産水の制御を行うことができる。図２（ａ）に示した例は、原水に耳石温度標識付与のために必要な温度変化を加える制御を行っている。この場合には、流路切り替え手段である切り替えバルブ３１を設定された時間毎に切り替えることで、出力流路３０Ａが選択された場合には温度ｔ0−Δｔ１の生産水となり、出力流路３０Ｂが選択された場合には温度ｔ0＋Δｔ２の生産水となる。両者の温度差Δｔ１＋Δｔ２が耳石温度標識の付与に必要となる温度差に設定されているので、この切り替え動作を付与標識の情報に応じて制御することで、必要な情報（標識）を耳石に付与することが可能になる。
【００２７】
この際、原水の温度ｔ0に付与される温度差は＋Δｔ１（例えば＋２℃）又は−Δｔ２（−２℃）であって、耳石温度標識付与に本来必要な温度差（例えば４℃）より小さくすることができるので、原水の温度状態から最初の温度変化で魚に与える温度差を小さくすることができ、温度差によるショックを和らげることができる。これによって、健全な生育状態を保ちながら耳石温度標識の付与を行うことができる。
【００２８】
そして、このような温度変化を原水に付加したとしても、積算温度は原水の積算温度と変わらないので、稚魚の成長状態を確認するために積算方式を採用する場合にも、生産水の温度変化を考慮することなく原水温度の積算によって成長状態を把握することが可能にある。
【００２９】
更に、原水に付与する温度変化は、Δｔ１であるから、従来技術のように原水の温度ｔ0に対してプラス側又はマイナス側の一方に耳石温度標識付与に必要な温度差を付与する場合と比較して、消費電力を大幅に削減することができる。また、使用するヒートポンプ２０の能力も大出力のものを用いる必要がないので、特に専門的な管理能力を有する管理者に頼ることなく手軽に管理することが可能になる。
【００３０】
図２（ｂ）は、成長促進を行うための稚魚生産水の温度制御を示した説明図である。これによると、温度変化は原水の温度ｔ0に対してΔｔ１だけしか生産水を加温することができないので、急激な促進効果を得ることはできないが、その分促進期間を長くすることで対応すればよい。この場合には、温度変化のショックが無い成長促進を行うことができるので、穏やかな成長で、且つ内臓器官等の成長バランスがよくなる。
【００３１】
図２（ｃ）は、成長抑制を行うための稚魚生産水の温度制御を示した説明図である。これによると、温度変化は原水の温度ｔ0に対してΔｔ２だけしか生産水を冷却することができないので、急激な抑制効果を得ることはできないが、その分促進期間を長くすることで対応すればよい。この場合には、温度変化のショックが無い成長抑制を行うことができるので、成長曲線にゆがみが生じるような不具合が生じない。
【００３２】
図２（ｄ）は、原水温度変化に対する生産水の温度変化を時間経過に沿って示した説明図である。図示から明らかなように、前述のように制御される生産水は、原水の温度変化に追従するように時間経過に応じて変化することになる。これによって、生産水にも自然環境が本来持っている時系列的な温度変化が付与されることになり、天然の稚魚の生育と同等の自然な生育環境を与えることができる。
【００３３】
図３は、本発明に係る稚魚生産水の温度制御装置及び温度制御方法の他の実施形態を示している。本発明の実施形態によると、原水の供給される供給流路１０を２つに分岐して、その一つの供給流路１０Ａを流れる原水を原水の温度ｔ0より設定温度差Δｔ１だけ冷却し、他の供給流路１０Ｂを流れる原水を原水の温度ｔ0より設定温度差Δｔ２だけ加熱し、設定温度Δｔ１だけ冷却された調温水（温度：ｔ0−Δｔ１）と設定温度Δｔ２だけ加熱された調温水（温度：ｔ0＋Δｔ２）を出力することにより、設定温度差Δｔ１と設定温度差Δｔ２の絶対値の和によって所要温度差を得ている。
【００３４】
そこで、この所要温度差のある調温水を利用して、前述した実施形態と同様に、切り替えバルブ（流路切り替え手段）３１を介して出力流路３０Ａ，３０Ｂを一つの出力流路３０Ｃに接続し、この出力流路３０Ｃから出力される生産水を稚魚生産槽４０Ａに溜めることで、ここではｔ0＋Δｔ２からｔ0−Δｔ１に至る温度差を周期的に与える耳石温度標識付与作業を行うことができる。また同時に、原水をΔｔ１だけ冷却した調温水を出力流路３０Ａから別の稚魚生産槽４０Ｂに出力することで、ここでは、ｔ0−Δｔ１の冷却された調温水によって成長抑制作業を行うことができる。さらに同時に、原水をΔｔ２だけ加熱した調温水を出力流路３０Ｂから別の稚魚生産槽４０Ｃに出力することで、ここでは、ｔ0＋Δｔ２の加熱された調温水によって成長促進作業を行うことができる。
【００３５】
つまり、本発明の実施形態によると、一つの温度制御装置（ヒートポンプ２０）を活用することで、成長抑制，成長促進，耳石温度標識付与の異なる作業を同時に行うことができる。しかも、この際の温度制御をヒートポンプ２０の熱交換作用によって行うことで、３種類の作業に必要な異なる温度制御を極めて少ない消費電力で行うことが可能になる。また、この場合に、何らかのトラブルで温度制御装置が停止してしまった場合を考えると、各槽内の温度は制御前の原水温度ｔ0に戻ることになるが、その際の温度差はそれぞれΔｔ１又はΔｔ２でしかないので、稚魚に大きな温度差ショックを与えることがない。
【００３６】
更に、出力流路３０Ａ，３０Ｂから出力される温度差Δｔ１＋Δｔ２の調温水は、これを適宜調合することで、その温度範囲内で任意の温度の生産水を得ることができる。これを活用することで、温度変化を時間経過に沿って徐々に変化させる曲線温度生産方式（図２（ｄ）参照）や時間経過に沿って一定温度にする一定温度生産方式を共に行うことが可能になる。
【００３７】
以上説明したように、本発明の実施形態に係る稚魚生産水の温度制御方法及び温度制御装置によると、耳石温度標識を付与するための稚魚生産水の温度制御等において、健全な稚魚を生産することができ、装置の所要能力を低くしてエネルギー消費の少ない制御を行うことが可能になる。また、この耳石温度標識付与だけでなく、成長抑制や成長促進を含めた各種の温度制御を少ない消費エネルギーで行うことができる。更に、温度変化を付与した調温水を無駄なく稚魚生産に活用できるので、エネルギー利用効率の高い稚魚生産を行うことができる。
【００３８】
更には、原水からの温度変化を必要最小限に抑えているので、天然の稚魚成長に近い自然な生産が可能になり、稚魚の健全性を確保し、回帰率の向上が見込める稚魚生産を行うことができる。
【実施例】
【００３９】
以下に、本発明の稚魚生産水の温度制御方法又は温度制御装置によって成長抑制（生産水加熱）又は成長促進（生産水冷却）を行う場合の実施例を示す。生産水放出口１カランは、１つの稚魚生産槽で１卵期に約３０〜４５日間使用するため、放流時期の期間が制限されることを考えると、１カランを２回使用することはできない。
【００４０】
＜実施条件＞
生産水放出流量：５０リットル／分（＝１カラン）
処理卵数：約２００万粒／１カラン
使用温度：比較例  原水＋４℃（成長促進時）
原水−４℃（成長抑制時）
実施例  原水＋２℃（成長促進時）
原水−２℃（成長抑制時）
使用期間：比較例  １ヶ月（孵化期のみ）
実施例  ２ヶ月（孵化期＋養魚期）
＜消費熱量／所要電力＞
比較例
消費熱量：５０リットル×４℃×６０分＝１２，０００カロリー／時間
所要電力：４ＫＷ
実施例
消費熱量：５０リットル×２℃×６０分＝６，０００カロリー／時間
所要電力：２ＫＷ
【００４１】
上記の比較から明らかなように、比較例のように原水から４℃の温度差で成長抑制又は成長促進を行う場合と、実施例のように原水から２℃の温度差で成長抑制又は成長促進を行う場合を比較すると、実施例は使用期間が比較例の２倍になるので両者は使用期間での消費熱量に違いはないが、実施例は比較例と比べて所要電力を低く抑えることができる。これによって、装置の小型化，低価格化が可能になると共に、契約電力（ワット数）を低く抑えることができるので、初期投資及びランニングコストを共に低減することができる。
【符号の説明】
【００４２】
１０，１０Ａ，１０Ｂ：供給流路，
１１，１２：ポンプ，
２０：ヒートポンプ，２１：蒸発器，２２：凝縮器，２３：圧縮・膨張手段，
３０，３０Ａ，３０Ｂ，３０Ｃ：出力流路，
３１：切り替えバルブ（切り替え手段），
４０，４０Ａ，４０Ｂ，４０Ｃ：稚魚生産槽
【図１】
2010207121.tif 000003
【図２】
2010207121.tif 000004
【図３】
2010207121.tif 000005